(57)【特許請求の範囲】
【請求項１】
燃料濃度の高い複数の濃バーナ本体と燃料濃度の低い複数の淡バーナ本体の各炎口部を長手方向に交互に連接させた濃淡バーナユニットと、前記濃淡バーナユニットの炎口部を除き周囲を囲むバーナケースと、前記バーナケースの立面に臨ませた前記濃バーナ本体の濃入口と、前記バーナケースの立面の下端側に臨ませた淡バーナ本体の淡入口と、前記バーナケースの立面と底面を含む空気室を形成するように前記バーナケースを内蔵するケーシングと、前記各濃入口に対向し燃料を噴出する濃ノズルと、前記各淡入口に対向し燃料を噴出する淡ノズルと、前記バーナケースの底面側の前記空気室に向かって空気を送風するファンと、前記各淡入口と各淡ノズルとの間に設け、前記各淡入口に対向して該淡入口より狭い開口部を有し、かつ前記ファンから離れるにしたがい前記開口部の開口面積を小さくした淡ダンパーとを有する強制排気式又は強制給排気式燃焼装置。
【請求項２】
燃料濃度の高い複数の濃バーナ本体と燃料濃度の低い複数の淡バーナ本体の各炎口部を長手方向に交互に連接させた濃淡バーナユニットと、前記濃淡バーナユニットの炎口部を除き周囲を囲むバーナケースと、前記バーナケースの立面に臨ませた前記濃バーナ本体の濃入口と、前記バーナケースの立面の下端側に臨ませた淡バーナ本体の淡入口と、前記バーナケースの立面と底面を含む空気室を形成するように前記バーナケースを内蔵するケーシングと、前記各濃入口に対向し燃料を噴出する濃ノズルと、前記各淡入口に対向し燃料を噴出する淡ノズルと、前記バーナケースの底面側の前記空気室に向かって空気を送風するファンと、前記各淡入口と各淡ノズルとの間に設け、前記各淡入口に対向して該淡入口より狭い開口部を有し、かつ前記ファン近傍の開口部の開口面積を小さくした淡ダンパーとを有する強制排気式又は強制給排気式燃焼装置。
【請求項３】
開口部の周縁下端を空気室内へ突出させた淡ダンパーを有する請求項１または２記載の強制排気式又は強制給排気式燃焼装置。
【請求項４】
全幅の下端を空気室内へ突出させた淡ダンパーを有する請求項１または２記載の強制排気式又は強制給排気式燃焼装置。
【発明の詳細な説明】
【０００１】
【発明の属する技術分野】
本発明は、排気系が強制排気方式や強制給排気方式の場合に、ダンパーにより振動燃焼を防止した燃焼装置に関するものである。
【０００２】
【従来の技術】
従来、この種の燃焼装置は特開平４−３６９３１２号公報に記載されているようなものが一般的であった。この装置は図８、９に示されているように濃炎口部１を有する濃バーナ本体２と、淡炎口部３を有する淡バーナ本体４とを長手方向に交互に連接した濃淡バーナユニット５が濃炎口部１と淡炎口部３を除きバーナケース６に囲まれている。このバーナケース６の側面には、濃バーナ本体２の丸穴状の濃入口７が臨まされ、また、濃入口７の下方には淡バーナ本体４の長穴状の淡入口８が臨まされている。また、バーナケース６は空気室９を形成するようにケーシング１０に内蔵されている。ケーシング１０の側面に装着した燃料供給部１１には、濃入口７に対向した燃料を噴出する濃ノズル１２と淡入口８に対向した燃料を噴出する淡ノズル１３とを設けている。抵抗板１４は多数の連通孔１５を開口した平板で、濃入口７と淡入口８との間に、かつ空気室９を仕切るように設けられている。空気を送風するファン１６はケーシング１０の底面端に設けられている。バーナケース６の側面に接して設けられた平板の淡ダンパー１７は淡入口８より狭い長穴形状の開口部１８を開口している。燃焼室１９の上部には排気管２０が設けられている。
【０００３】
次に、燃焼動作を説明する。ファン１６により空気室９へ供給された空気は、その一部分が連通孔１５を通り、濃ノズル１２から噴出される燃料と共に各濃バーナ本体２内に流入し、均一に混合して理論混合比以下の濃混合気となって濃炎口部１より流出して本来安定な濃火炎を形成する。また、大部分の空気が開口部１８を通り、淡ノズル１３から噴出される燃料と共に各淡バーナ本体４に流入し、均一に混合して理論混合比以上の希薄混合気となって淡炎口部３より流出して本来不安定な淡火炎を形成する。濃炎口部１と淡炎口部３が交互に配列されているため、淡火炎は両側からの濃火炎の熱的影響を受けることによって安定化されており、全体として安定な濃淡燃焼を実現してＮｏｘの発生を低減させていた。
【０００４】
次に、振動燃焼について説明する。振動燃焼の主な要因は淡火炎の乱れに起因する圧力変動が燃焼室１９や排気管２０に発生し、この圧力変動が淡バーナ本体４を通過して空気室９に伝わる。この結果、濃ノズル１２と淡ノズル１３から噴出される燃料の量やファン１６から供給される空気の量が変動する。この燃料や空気の変動が燃焼室１９や排気系に発生する圧力変動と同期すると、燃焼室１９や排気管２０に定在波が形成される振動燃焼が発生する。
【０００５】
続いて、淡ダンパー１７の振動燃焼抑制作用について説明する。淡バーナ本体４を通過する圧力変動は開口部１８により絞られて減衰するので、燃料や空気の変動は抑制される。また、淡ダンパー１７の抵抗分、ファン１６の回転数を増やす必要はあるが、ファン１６は圧力変動に対する流量変動が小さくなるという特性を持つ。以上のことから、振動燃焼を起因する燃料や空気の変動が抑制される結果、振動燃焼が抑制できる。
【０００６】
【発明が解決しようとする課題】
しかしながら、従来の燃焼装置では、ファン１６をケーシング１０の底面、かつ左側面１０Ｌ近傍に設けているので、ファン１６により空気室９へ供給された空気は最初にバーナケース６の底面に衝突する。次に、空気は２方向をケーシング１０の左側面１０Ｌと後面１０Ｂに囲まれているので、後面１０Ｂから右側面１０Ｒに沿っての流れと左側面１０Ｌに沿っての流れとに分流する。その後、前者の空気は右側面１０Ｒ側の開口部１８Ａに集中する結果、右側面１０Ｒ側の淡バーナ本体４Ａは他の淡バーナ本体４に比べてさらに希薄の希薄混合気を淡炎口部３Ａより流出して非常に不安定な淡火炎を形成するので、燃焼性が悪いという課題を有していた。特に、燃焼開始時に淡バーナ本体４Ａの着火が遅いので、濃バーナ本体２Ａ、２Ｂ間の火移りが悪いという課題を有していた。一方、後者の空気は左側面１０Ｌ側の開口部１８Ｂに集中する結果、前者の空気と同様に燃焼性が悪く、特に火移りが悪いという課題を有していた。
【０００７】
また、ファン１６から空気室９へ供給された空気の一部は淡ノズル１３と開口部１８との間隙を横切るように流れる。そして、特に淡ノズル１３と開口部１８との位置や角度がずれた場合、この空気はノズル１３から噴出される燃料を押し流し、かつ開口部１８の短辺が短いので、特に噴出後速度が遅くなった燃料の一部分は淡入口８に入らず、通孔１５を通り濃バーナ本体２内に流入する。そのために、一部の淡バーナ本体４は他の淡バーナ本体４に比べてさらに希薄な希薄混合気を淡炎口部３より流出して非常に不安定な淡火炎を形成し、また、一部の濃バーナ本体２は他の濃バーナ本体２に比べて過濃な濃混合気を濃炎口部１より流出して不安定な濃火炎を形成するので、燃焼性が悪いという課題を有していた。
【０００８】
また、淡ダンパー１７が平板なので、淡ダンパー１７自身の歪みなどでバーナケース６の前面と淡ダンパー１７とに隙間ができやすい。そして、この間隙に空気が進入するので、各淡バーナ本体４への空気量が不均一になってしまう。この結果、一部の淡バーナ本体４は他の淡バーナ本体４に比べてさらに希薄な希薄混合気を淡炎口部３より流出して非常に不安定な淡火炎を形成するので、燃焼性が悪いという課題を有していた。
【０００９】
また、開口部１８の開口面積を小さくするなどにより淡ダンパー１７の抵抗を大きくして、ファン１６の圧力変動に対する流量変動をさらに小さくすることは、ファン１６への負担が大きく限界があった。したがって、強制排気方式や強制給排気方式の場合、排気管２０の固有振動数が圧力変動の周期に近い１００Ｈｚ前後なので、振動燃焼が非常に発生しやすいという課題を有していた。
【００１０】
【課題を解決するための手段】
本発明は上記課題を解決するために複数の濃バーナ本体と複数の淡バーナ本体の各炎口部を長手方向に交互に連接された濃淡バーナユニットと、濃淡バーナユニットの炎口部を除き周囲を囲むバーナケースと、バーナケースの立面に臨ませた濃バーナ本体の濃入口と、バーナケースの立面の下端側に臨ませた淡バーナ本体の淡入口と、バーナケースの立面と底面を含む空気室を形成するようにバーナケースを内蔵するケーシングと、濃入口に対向し燃料を噴出する濃ノズルと、淡入口に対向し燃料を噴出する淡ノズルと、バーナケースの底面側の空気室に向かって空気を送風するファンと、各淡入口と各淡ノズルとの間に設け、各淡入口に対向して該淡入口より狭い開口部を設け、かつファンから離れるにしたがい開口部の開口面積を小さくした淡ダンパーとを備えた強制排気式又は強制給排気式燃焼装置である。
【００１１】
上記発明によれば、ファンにより空気室へ供給されバーナケースの底面に衝突した空気は、主にファンから離れるようにケーシングの周面に沿って流れ、ファンから離れた開口部の近傍に集中する。そして、この空気はファンから離れるにしたがい開口部の開口面積を小さくした淡ダンパーに強制的に制御され、各淡入口にはほぼ同量の空気が流入し、各淡炎口部からも同量の希薄混合気が流出して淡火炎を形成するので、燃焼性の改善が図られる。
【００１２】
【発明の実施の形態】
本発明は複数の濃バーナ本体と複数の淡バーナ本体の各炎口部を長手方向に交互に連接された濃淡バーナユニットと、濃淡バーナユニットの炎口部を除き周囲を囲むバーナケースと、バーナケースの立面に臨ませた濃バーナ本体の濃入口と、バーナケースの立面の下端側に臨ませた淡バーナ本体の淡入口と、バーナケースの立面と底面を含む空気室を形成するようにバーナケースを内蔵するケーシングと、濃入口に対向し燃料を噴出する濃ノズルと、淡入口に対向し燃料を噴出する淡ノズルと、バーナケースの底面側の空気室に向かって空気を送風するファンと、各淡入口と各淡ノズルとの間に設け、各淡入口に対向して該淡入口より狭い開口部を設け、かつファンから離れるにしたがい開口部の開口面積を小さくした淡ダンパーとを備えた強制排気式又は強制給排気式燃焼装置である。そして、ファンにより空気室へ供給されバーナケースの底面に衝突した空気は、主にファンから離れるようにケーシングの周面に沿って流れ上昇し、濃入口に流入する空気とファンから離れた開口部の近傍に集中する空気とに二分される。特に、後者の空気はファンから離れるにしたがい開口部の開口面積を小さくした淡ダンパーに強制的に制御され、各淡入口にはほぼ同量の空気が流入し、各淡炎口部からも同量の希薄混合気が流出して淡火炎を形成するので、燃焼性の改善が図られる。
【００１３】
また、燃料濃度の高い複数の濃バーナ本体と燃料濃度の低い複数の淡バーナ本体の各炎口部を長手方向に交互に連接させた濃淡バーナユニットと、前記濃淡バーナユニットの炎口部を除き周囲を囲むバーナケースと、前記バーナケースの立面に臨ませた前記濃バーナ本体の濃入口と、前記バーナケースの立面の下端側に臨ませた淡バーナ本体の淡入口と、前記バーナケースの立面と底面を含む空気室を形成するように前記バーナケースを内蔵するケーシングと、前記各濃入口に対向し燃料を噴出する濃ノズルと、前記各淡入口に対向し燃料を噴出する淡ノズルと、前記バーナケースの底面側の前記空気室に向かって空気を送風するファンと、前記各淡入口と各淡ノズルとの間に設け、前記各淡入口に対向して該淡入口より狭い開口部を有し、かつ前記ファン近傍の開口部の開口面積を小さくした淡ダンパーとを有する強制排気式又は強制給排気式燃焼装置である。そして、ファンにより空気室へ供給されバーナケースの底面に衝突した空気は、直ちにファン隣接するケーシングの周面に沿って流れ上昇し、濃入口に流入する空気とファン近傍の開口部の近傍に集中する空気とに二分される。特に、後者の空気はファン近傍の開口部の開口面積を小さくした淡ダンパーに強制的に制御され、各淡入口にはほぼ同量の空気が流入し、各淡炎口部からも同量の希薄混合気が流出して淡火炎を形成するので、燃焼性の改善が図られる。
【００１４】
また、開口部の周縁下端を空気室内へ突出させた淡ダンパーを有するものである。そして、ファンから空気室へ供給された空気は空気室内へ突出させた開口部の周縁下端に案内され主に各淡ノズル間や各開口部間を流れた後、開口部から淡入口に入る。この結果、開口部の周縁下端の下流側が負圧になるので、淡ノズルから噴出される燃料も全て開口部から淡入口に入る。すなわち、淡ノズルから噴出された燃料の漏れが防止でき、燃焼性が安定する。
【００１５】
また、全幅の下端を空気室内へ突出させた淡ダンパーを有するものである。そして、ファンから空気室へ供給された空気は空気室内へ突出した淡ダンパーの下端に案内され、一旦淡ダンパーの表面から離れるように上昇した後、真っ正面から開口部に入る。この結果、開口部近傍では開口部を横切るような空気の流れは弱く、空気は淡ノズルから噴出された燃料とほぼ同じ方向へ流れるので、淡ノズルから噴出される燃料は全て開口部から淡入口に入る。すなわち、淡ノズルから噴出された燃料の漏れが防止でき、燃焼性が安定する。さらに、淡ダンパーは下端を空気室内へ突出させたので、剛性が強く、淡ダンパー自身の歪みなどによるバーナケースの側面と淡ダンパーとに隙間ができない。したがって、各淡バーナ本体への空気量が均一になるのて、燃焼性が維持できる。
【００１６】
以下、本発明の実施例について図面を用いて説明する。
【００１７】
（実施例１）
図１は本発明の実施例１の燃焼装置の正面断面図である。また、図２は燃焼装置の側面断面図である。図において、２１、２２は濃炎口部２３を有する濃バーナ本体と、淡炎口部２４を有する淡バーナ本体であり、濃バーナ本体２１と淡バーナ本体２２を長手方向に交互に連接した濃淡バーナユニット２５が濃炎口部２３と淡炎口部２４を除きバーナケース２６に囲まれている。２７は濃バーナ本体２１の丸穴形状の濃入口であり、バーナケース２６の側面に臨まされ、また、濃入口２７の下方には淡バーナ本体２２の長穴形状の淡入口２８が臨まされている。また、２９はケーシングであり、空気室３０を形成するようにバーナケース２６を内蔵している。３１はケーシング２９の側面に装着した燃料供給部であり、濃入口２７に対向した燃料を噴出する濃ノズル３２と淡入口２８に対向した燃料を噴出する淡ノズル３３とを設けている。３４は多数の連通孔３５を開口した平板状の抵抗板であり、濃入口２７と淡入口２８との間に、かつ空気室３０に設けられている。３６はケーシング２９の底面の端部に設けられている空気を供給するファンである。３７はバーナケース２６の前面に接しビスと抵抗板３４とで固定された平板の淡ダンパーあり、淡入口２８より狭い長穴形状の開口部３８を開口している。特に、３９はファン３６から離れるしたがって開口面積を小さくした丸穴形状の開口部である。４０は燃焼室４１の上部に設けられた排気管である。
【００１８】
次に、燃焼動作を説明する。ファン３６により空気室９へ供給された空気はその約１０％程度が、連通孔２５を通り、燃料の約２５％程度の濃ノズル３２から噴出される燃料と共に各濃バーナ本体２１内に流入し、均一に混合して理論混合比以下の濃混合気となって濃炎口部２３より流出して本来安定な淡火炎を形成する。また、約９０％程度の空気が開口部３８を通り、燃料の約７５％程度の淡ノズル３３から噴出される燃料と共に各淡バーナ本体２２に流入し、均一に混合して理論混合比以上の希薄混合気となって淡炎口部２４より流出して本来不安定な淡火炎を形成する。濃炎口部２３と淡炎口部２４が交互に配列されているため、淡火炎は両側からの濃火炎の熱的影響を受けることによって安定化されており、全体として安定な濃淡燃焼を実現してＮｏｘの発生を低減させていた。
【００１９】
そして、ファン３６から供給された空気の流れについて詳しく説明する。ファン３６から空気室３０へ供給されバーナケース２６の底面に衝突した空気の主流は、２方向をケーシング２９の左側面２９Ｌと後面２９Ｂに囲まれているので、後面２９Ｂから右側面２９Ｒに沿っての流れと左側面２９Ｌに沿っての流れとに分流する。その後、前者の空気はケーシング２９の右側面２９Ｒに沿って上昇し、抵抗板３４に達する。そして、この空気は連通孔３５を通過して濃入口２７に流入する空気と抵抗板３４に案内されファン３６から離れた淡入口２８近傍に集中する空気とにさらに二分される。特に、後者の空気はファンか３６ら離れた開口部３９の開口面積を小さくした淡ダンパー３７に強制的に制御され、各淡入口２８にはほぼ同量の空気が流入する。その結果、当然各淡バーナ本体２２の淡炎口部２４からもほぼ同量の希薄混合気が流出して淡火炎を形成するので、燃焼性の改善が図られる。特に、燃焼開始時に各淡バーナ本体２２の着火がスムーズなので、濃淡バーナユニット２５の火移りが瞬時になるという効果がある。
【００２０】
なお、開口部３９は他の形状でも効果は変わらない。また、ファン３６がケーシング２９の底面の中央に設けられた場合、淡ダンパー３７の両側に開口部３９を設ける必要がある。一方、各淡入口２８にはほぼ同量の空気が流入するため、このような変則的な淡ダンパー３７の代わりに、空気室３０に案内板などを設けた場合、組立ばらつきにより各淡入口２８への同量の空気の流入が難しく、かつ部品追加によるコストアップになる。
【００２１】
（実施例２）
図３は本発明の実施例２の燃焼装置の正側面断面図である。実施例１と異なる点は淡入口４２より狭い開口部４３を設け、かつ前記ファン４４近傍の開口部４５の開口面積を小さくした淡ダンパー４６をバーナケース４７の前面に接して設けたところである。なお実施例１と同一符号のものは同一構造を有し、説明は省略する。
【００２２】
次にファン４４から供給された空気の流れについて詳しく説明する。ファン４４から空気室３０へ供給されバーナケース４７の底面に衝突した空気の主流は、２方向をケーシング２９の左側面２９Ｌと後面２９Ｂに囲まれているので、後面２９Ｂから右側面２９Ｒに沿っての流れと左側面２９Ｌに沿っての流れとに分流する。その後、後者の空気はケーシング２９の右側面２９Ｌに沿って上昇し、抵抗板３４に達する。そして、この空気は連通孔３５を通過して濃入口２７に流入する空気と抵抗板３４に案内されファン４４近傍の開口部４５の近傍に集中する空気とにさらに二分される。特に、後者の空気はファン４４から離れた開口部４５の開口面積を小さくした淡ダンパー４６に強制的に制御され、各淡入口４２にはほぼ同量の空気が流入する。その結果、当然各淡バーナ本体２２の淡炎口部２４からもほぼ同量の希薄混合気が流出して淡火炎を形成するので、燃焼性の改善が図られる。特に、燃焼開始時に各淡バーナ本体２２の着火がスムーズなので、濃淡バーナユニット２５の火移りが瞬時になるという効果がある。
【００２３】
（実施例３）
図４は本発明の実施例３の燃焼装置の要部拡大側面断面図である。実施例１と異なる点は開口部４８の周縁下端４８Ａを空気室４９内へ切り起こし突出させた櫛形部を持つ淡ダンパー５０をバーナケース５１の前面に接して設けたところである。なお実施例１と同一符号のものは同一構造を有し、説明は省略する。
【００２４】
次に、ファン３６から供給された空気の流れについて詳しく説明する。ファン３６から空気室４９へ供給されバーナケース５１の底面に衝突した空気は、主にバーナケース５１の底面に沿って端部の方向へ流れ上昇し、その後、抵抗板３４に達する。その際、空気は空気室４９内へ突出させた開口部４８の周縁下端４８Ａに案内され主に各淡ノズル３３間や各開口部４８間を流れた後、開口部４８から淡入口２８に入る。この結果、開口部４８の周縁下端４８Ａの下流側が負圧になるので、淡ノズル３３から噴出される燃料も全て開口部４８から淡入口２８に入る。すなわち、淡ノズル３３から噴出された燃料が淡入口２８以外への漏れが防止でき、燃焼性が安定する。言い換えると、空気を強制的に制御する実施例１とは異なり、燃料を確実に制御するのである。
【００２５】
（実施例４）
図５は本発明の実施例４の燃焼装置の要部拡大側面断面図である。実施例１と異なる点は淡ダンパー５２の下端５２Ａの全幅を空気室５３内へ折り曲げて突出させ、この淡ダンパー５２をバーナケース５４の前面に接して設けたところである。なお実施例１と同一符号のものは同一構造を有し、説明は省略する。
【００２６】
そして、ファン３６から空気室５３へ供給された空気は空気室５３内へ突出した淡ダンパー５２の下端５２Ａに案内され主に燃料供給部３１に沿って、言い換えると一旦淡ダンパー５２の表面から強制的に離され流れた後、真っ正面から開口部３８に入る。すなわち、開口部３８近傍では開口部３８自身を横切るような空気の流れは弱く、空気は淡ノズル３３から噴出された燃料とほぼ同じ方向へ流れるので、淡ノズル３３から噴出された燃料の漏れが防止でき、燃焼性が安定する。さらに、淡ダンパー５２は下端５２Ａを空気室５３内へ突出させたので、剛性が強く、淡ダンパー５２自身の歪みなどによるバーナケース５４の前面と淡ダンパー５２とに隙間ができない。したがって、各淡バーナ本体２２への空気量が均一になるのて、燃焼性が維持できる。
【００２７】
なお、淡ノズル３３から噴出する燃料は燃料供給部３１に沿って上昇する空気に衝突するが、噴出した直後なので燃料の慣性力が強く、燃料は流されず直進できる。ただし、淡ダンパー５２の下端５２Ａを空気室５３内へ折り曲げて突出させている分、空気室５３の通路抵抗が大きいという課題がある。一方、通路抵抗を下げるため、実施例２のように下端５２Ａを櫛形にした場合、剛性は小さく、開口部３８と距離があるので、燃料漏れ防止効果は小さい。
【００２８】
（実施例５）
図６は本発明の実施例５の燃焼装置の要部拡大側面断面図である。実施例１と異なる点は開口部５５の周縁５５Ａを淡入口５６内へ突出させた淡ダンパー５７を設けたところである。特に、開口部５５の周縁５５Ａの裏面はバーナケース５８の前面に接して設けたところである。なお実施例１と同一符号のものは同一構造を有し、説明は省略する。
【００２９】
次に、淡ダンパー５７の振動燃焼抑制作用について説明する。淡火炎の乱れに起因する圧力変動が排気管４０と燃焼室４１に発生し、この圧力変動が淡バーナ本体２２を通過して空気室３０に伝わる。一方、開口部５５の周縁５５Ａを淡入口５６内へ突出させたので、空気室３０から淡バーナ本体２２への順通路抵抗に比べて、逆の淡バーナ本体２２から空気室３０への逆通路抵抗は著しく大きくなる。したがって、淡バーナ本体２２を通過する圧力変動は開口部５５の周縁５５Ａにより絞られて十分に減衰するので、燃料や空気の変動は防止される。したがって、振動燃焼を起因する燃料や空気の変動が防止できる結果、振動燃焼の防止が図られる。また、順通路抵抗が小さいので、ファン３６の負荷も小さい。さらに、開口部５５の周縁５５Ａはバーナケース５８の側面に接していたので、空気は必ず開口部５５から淡入口５６に流入する。したがって、各淡バーナ本体２２への空気量が均一になるのて、燃焼性が維持できる。
【００３０】
（実施例６）
図７は本発明の実施例６の燃焼装置の要部拡大側面断面図である。実施例１と異なる点は燃料供給部５９の燃料入口６０の近傍に開口した絞り口６１を介して連通して設けた閉塞空間６２とを有することである。なお実施例１と同一符号のものは同一構造を有し、説明は省略する。
【００３１】
次に、閉塞空間６２の振動燃焼抑制作用について説明します。淡火炎の乱れに起因する圧力変動が排気管４０や燃焼室４１に発生し、この圧力変動が淡バーナ本体２２を通過して空気室３０に伝わる。次に、空気室３０に伝わった圧力変動は淡ノズル３３から燃料供給部５９へ達する。そして、この燃料供給部５９に達した圧力変動は絞り口６１から閉塞空間６２に吸収される。すなわち、絞り口６１から閉塞空間６２はヘルムホルツ型吸音器として作用するのである。したがって、振動燃焼を起因するこの燃料の変動が防止できる結果、振動燃焼の抑制が図られる。
【００３２】
【発明の効果】
以上のように本発明によれば、次のような有利な効果を有する。
【００３３】
（１）ファンから離れるにしたがい開口部の開口面積を小さくした淡ダンパーを設けたので、当然各淡バーナ本体にはほぼ同量の空気が流入し、燃焼性の改善が図られる。
【００３４】
（２）ファン近傍の開口部の開口面積を小さくした淡ダンパーを設けたので、当然各淡バーナ本体にはほぼ同量の空気が流入し、燃焼性の改善が図られる。
【００３５】
（３）淡ダンパーの開口部の周縁下端を空気室内へ突出させたので、淡ノズルから噴出された燃料の漏れが防止でき、燃焼性が安定する。
【００３６】
（４）淡ダンパーの全幅の下端を空気室内へ突出させたので、淡ノズルから噴出された燃料の漏れが防止でき、燃焼性が安定する。また、剛性が強く、淡ダンパー自身の歪みなどによるバーナケースの側面と淡ダンパーとに隙間ができないので、各淡バーナ本体への空気量が均一になる。
【図面の簡単な説明】
【図１】  本発明の実施例１の燃焼装置の正面断面図
【図２】  同装置の側面断面図
【図３】  本発明の実施例２の燃焼装置の正面断面図
【図４】  本発明の実施例３の燃焼装置の要部拡大側面断面図
【図５】  本発明の実施例４の燃焼装置の要部拡大側面断面図
【図６】  本発明の実施例５の燃焼装置の要部拡大側面断面図
【図７】  本発明の実施例６の燃焼装置の要部拡大側面断面図
【図８】  従来の燃焼装置の正面断面図
【図９】  同装置の側面断面図
【符号の説明】
２１  濃バーナ本体
２２  淡バーナ本体
２３  濃炎口部
２４  淡炎口部
２５  濃淡バーナユニット
２６、４７、５１、５４、５８  バーナケース
２７  濃入口
２８、４２、５６  淡入口
２９  ケーシング
３０、４９、５３  空気室
３１、５９  燃料供給部
３２  濃ノズル
３３  淡ノズル
３４  抵抗板
３６、４４  ファン
３７、４６、５０、５２、５２Ａ  淡ダンパー
３８、３９、４３、４５、４８、４８Ａ、５５  開口部
【図１】
0003713838.tif 000002
【図２】
0003713838.tif 000003
【図３】
0003713838.tif 000004
【図４】
0003713838.tif 000005
【図５】
0003713838.tif 000006
【図６】
0003713838.tif 000007
【図７】
0003713838.tif 000008
【図８】
0003713838.tif 000009
【図９】
0003713838.tif 000010